(57)【要約】【課題】組立作業性が改善され、かつ、部品の共通化が可能な空気調和機の室外機を提供する。【解決手段】空気調和機の室外機１は、底フレーム２と、略Ｌ字型の熱交換器３と、ケーシング６とを備えている。略Ｌ字型の熱交換器３は、底フレーム２の上に配置されている。略Ｌ字型の熱交換器３は、背面側から側面側に延びる。ケーシング６は、熱交換器３の少なくとも側部を覆う。ケーシング６は、少なくとも１つの支持部１０、１１を有している。支持部１０、１１は、ケーシング６の内側に突出するようにケーシング６の側部に一体成形されている。支持部１０、１１は、熱交換器３の側面側端部から突出する伝熱管のＵ字管部分１２を支持する。【選択図】図２
2008082616.tif 000002
【特許請求の範囲】
【請求項１】
底フレーム（２）と、
前記底フレーム（２）の上に配置され、背面側から側面側に延びる略Ｌ字型の熱交換器（３）と、
前記熱交換器（３）の少なくとも側部を覆うケーシング（６）と
を備えており、
前記ケーシング（６）は、前記ケーシング（６）の内側に突出するように前記ケーシング（６）の側部に一体成形され、前記熱交換器（３）の側面側端部から突出する伝熱管のＵ字管部分を支持する少なくとも１つの支持部（１０、１１）を有している、
空気調和機の室外機（１）。
【請求項２】
前記底フレーム（２）の背面側の縁部分（２ａ）が立ち上がっており、
前記縁部分（２ａ）は、前記熱交換器（３）の側面側部分が背面側にずれないように前記熱交換器（３）の背面側を支持する、
請求項１に記載の室外機（１）。
【請求項３】
前記支持部（１０、１１）は、前記熱交換器（３）の伝熱管が２列並んだ場合における外側の前記Ｕ字管部分を支持する外側支持部分（１３、１５）と、前記熱交換器（３）の伝熱管が２列並んだ場合における内側の前記Ｕ字管部分を支持する内側支持部分（１４、１６）とを有している、
請求項１に記載の室外機（１）。
【発明の詳細な説明】
【技術分野】
【０００１】
本発明は、空気調和機の室外機に関する。
【背景技術】
【０００２】
従来より使用されている空気調和機の室外機には、特許文献１に記載されているように、背面側から側面側に延びる略Ｌ字型の熱交換器と、略Ｌ字型の熱交換器の背面側部分および側面側部分のそれぞれの端部に取り付けられた管板とを備えている空気調和機の室外機がある。
【０００３】
この室外機では、略Ｌ字型の熱交換器を室外機の底フレームに固定するために、略Ｌ字型の熱交換器の端部に取り付けられた管板または固定具を底フレームにネジ止めにより固定している。
【特許文献１】特開２００４−１８３９０６号公報
【発明の開示】
【発明が解決しようとする課題】
【０００４】
しかし、特許文献１記載の室外機では、略Ｌ字型の熱交換器を底フレームに固定するために管板または固定具を底フレームにネジ止め固定する必要があり、組立作業における作業工数がかかるという問題がある。
【０００５】
一方、管板がない室外機の場合には、底フレームとファンモータ台によって熱交換器を固定する構造が採用されているが、このような構造では、熱交換器の仕様、例えば、空気が流れる方向から見て伝熱管が１列だけ並んだ１列熱交換器、または伝熱管が２列だけ並んだ２列熱交換器によっては、底フレームとファンモータ台の仕様または寸法が変わり、部品の共通化が困難である。
【０００６】
本発明の課題は、組立作業性が改善され、かつ、部品の共通化が可能な空気調和機の室外機を提供することにある。
【課題を解決するための手段】
【０００７】
第１発明の空気調和機の室外機は、底フレームと、略Ｌ字型の熱交換器と、ケーシングとを備えている。略Ｌ字型の熱交換器は、底フレームの上に配置されている。略Ｌ字型の熱交換器は、背面側から側面側に延びる。ケーシングは、熱交換器の少なくとも側部を覆う。ケーシングは、少なくとも１つの支持部を有している。支持部は、ケーシングの内側に突出するようにケーシングの側部に一体成形されている。支持部は、熱交換器の側面側端部から突出する伝熱管のＵ字管部分を支持する。
【０００８】
ここでは、ケーシングが熱交換器の側面側端部から突出する伝熱管のＵ字管部分を支持する少なくとも１つの支持部を有しているので、熱交換器の側面側部分が正面側にずれることを防止でき、組立て作業性が向上する。
【０００９】
第２発明の空気調和機の室外機は、第１発明の空気調和機の室外機であって、底フレームの背面側の縁部分が立ち上がっている。縁部分は、熱交換器の側面側部分が背面側にずれないように熱交換器の背面側を支持する。
【００１０】
ここでは、底フレームの背面側の縁部分が立ち上がっている。縁部分は、熱交換器の側面側部分が背面側にずれないように熱交換器の背面側を支持するので、熱交換器が背面側にずれる不具合を防止できる。
【００１１】
第３発明の空気調和機の室外機は、第１発明の空気調和機の室外機であって、支持部は、外側支持部分と、内側支持部分とを有している。外側支持部分は、熱交換器の伝熱管が２列並んだ場合における外側のＵ字管部分を支持する。内側支持部分は、熱交換器の伝熱管が２列並んだ場合における内側のＵ字管部分を支持する。
【００１２】
ここでは、支持部が、外側のＵ字管部分を支持する外側支持部分と、内側のＵ字管部分を支持する内側支持部分とを有しているので、伝熱管が１列並んだ１列熱交換器および伝熱管が２列並んだ２列熱交換器の両方の場合に適用でき、部品の共通化が可能である。
【発明の効果】
【００１３】
第１発明によれば、熱交換器の側面側部分が正面側にずれることを防止でき、組立て作業性が向上する。
【００１４】
第２発明によれば、熱交換器が背面側にずれる不具合を防止できる。
【００１５】
第３発明によれば、１列熱交換器および２列熱交換器の両方の場合に適用でき、部品の共通化が可能である。
【発明を実施するための最良の形態】
【００１６】
＜空気調和機の室外機１の構成＞
図１〜２に示される空気調和機の室外機１は、底フレーム２と、略Ｌ字型の熱交換器３と、後管板４と、前管板５と、ケーシング６とを備えている。また、ケーシング６の内部には、図１に示されるように、圧縮機７と、ファン８と、圧縮機７とファン８との間を空間的に仕切る仕切板９とが収納されている。
【００１７】
底フレーム２は、金属薄板などから製造された板状の部材である。底フレーム２の背面側の縁部分２ａは、垂直に立ち上がっている。縁部分２ａは、熱交換器３の側面側部分３ｂが背面側にずれないように熱交換器３の背面側部分３ａを支持する。
【００１８】
略Ｌ字型の熱交換器３は、底フレーム２の上に配置されている。熱交換器３は、背面側から側面側に略Ｌ字に延びる。なお、本発明では、熱交換器３は、背面側部分３ａと直交する側面側部分３ｂを少なくとも１つ有していればよく、２つの側面側部分３ｂを背面側部分３ａの両側に配置してコ字状の熱交換器３であってもよい。実施形態の熱交換器３は、ケーシング６の側面および背面から導入される空気が流れる方向から見て伝熱管が１列だけ並んだ１列熱交換器である。
【００１９】
後管板４は、熱交換器３の背面側部分３ａの端部３ｃに取り付けられている。後管板４は、熱交換器３の伝熱管が挿入される複数の貫通孔を有している。後管板４は、底フレーム２にネジ止め等により固定されているが、固定されていなくてもよい。
【００２０】
前管板５は、熱交換器３の側面側部分３ｂの前面側の端部３ｄに取り付けられている。前管板５は、熱交換器３の伝熱管が挿入される複数の貫通孔を有している。前管板５は、底フレーム２に対して固定されていない。
【００２１】
ケーシング６は、熱交換器３の少なくとも側部の側面側部分３ｂを覆う筐体である。本実施形態のケーシング６は、底フレーム２と同じ底面積を有しており、熱交換器３の全体を覆っている。ケーシング６の側部６ｂは、熱交換器３の側面側部分３ｂの外側に対向する位置関係にある。ケーシング６の側部６ｂには、通風口６ｃが形成されている。
【００２２】
＜上部支持部１０および下部支持部１１の構成＞
図１〜４に示されるように、ケーシング６は、熱交換器３を支持するための上部支持部１０および下部支持部１１を有している。
【００２３】
上部支持部１０および下部支持部１１は、ケーシング６の内側に突出するようにケーシング６の側部６ｂに一体成形され、熱交換器３の側面側部分３ｂの前面側端部３ｄから突出する伝熱管のＵ字管部分１２を支持する。実施形態では、ケーシング６の全体、上部支持部１０および下部支持部１１は、合成樹脂によるモールド成形または射出成形等により一体成形されている。
【００２４】
上部支持部１０は、具体的には、外側支持部分１３と、内側支持部分１４とを有している。外側支持部分１３および内側支持部分１４は、それぞれ細長い環状の形状を有しており、それぞれ２個のＵ字管部分１２を支持できるようになっている。外側支持部分１３は、内側支持部分１４に対して、ケーシング６の外側に位置している。外側支持部分１３は、ケーシング６の背面または側面から導入される空気が流れる方向から見て伝熱管が１列並んだ熱交換器３の２個のＵ字管部分１２を支持する。また、外側支持部分１３は、熱交換器３が（ケーシング６の背面または側面から導入される空気が流れる方向から見て）伝熱管が２列並んだ２列熱交換器である場合における外側の伝熱管の列の２個のＵ字管部分１２を支持する。内側支持部分１４は、熱交換器３が伝熱管が２列並んだ２列熱交換器である場合における内側の伝熱管の列の２個のＵ字管部分１２を支持する。
【００２５】
下部支持部１１は、外側支持部分１５と、内側支持部分１６とを有している。外側支持部分１５および内側支持部分１６は、略馬蹄形（いいかえれば、下方に開いたＵ字状）の形状を有しており、それぞれ１個のＵ字管部分１２を上方から支持できるようになっている。外側支持部分１５は、内側支持部分１６に対して、ケーシング６の外側に位置している。外側支持部分１５は、伝熱管が１列並んだ熱交換器３のＵ字管部分１２を支持する。また、外側支持部分１５は、熱交換器３が伝熱管が２列並んだ２列熱交換器である場合における外側の伝熱管の列のＵ字管部分１２を支持する。内側支持部分１６は、熱交換器３が伝熱管が２列並んだ２列熱交換器である場合における内側の伝熱管の列のＵ字管部分１２を支持する。
【００２６】
以上のように、上部支持部１０および下部支持部１１がケーシング６の内側に突出するようにケーシング６の側部６ｂに一体成形されているので、熱交換器３の側面側部分３ｂが正面側（図１の矢印Ａの方向に向かう前方側）にずれなくなる。
【００２７】
また、熱交換器３は、上部支持部１０および下部支持部１１によって熱交換器３が底フレーム２の上に固定されるので、ネジ止めしなくても熱交換器３の取付けが可能になる。
【００２８】
〔特徴〕
（１）
実施形態の室外機１では、ケーシング６がケーシング６の内側に突出するようにケーシング６の側部に一体成形され、熱交換器３の側面側端部３ｄから突出する伝熱管のＵ字管部分１２を支持する上部支持部１０および下部支持部１１を有しているので、熱交換器３の側面側部分３ｂが正面側（図１の矢印Ａの方向に向かう前方側）にずれなくなる。
また、熱交換器３は、上部支持部１０および下部支持部１１によって熱交換器３が底フレーム２の上に固定されるので、ネジ止めしなくても熱交換器３の取付けが可能になるので、組立て作業性が向上する。
（２）
実施形態の室外機１では、底フレーム２の背面側の縁部分２ａが立ち上がっており、縁部分２ａは、熱交換器３の側面側部分３ｂが背面側にずれないように熱交換器３の背面側部分３ａを支持するので、熱交換器３が背面側にずれる不具合を防止できる。また、熱交換器３は、底フレーム２の縁部分２ａと上部支持部１０（および下部支持部１１）との間に挟まれた状態で底フレーム２の上に固定されるので、ネジ止めすることなく容易に熱交換器３の取付けを行うことが可能である。
（３）
実施形態の室外機１では、上部支持部１０および下部支持部１１は、外側のＵ字管部分１２を支持する外側支持部分１３、１５と、内側のＵ字管部分１２を支持する内側支持部分１４、１６とを有しているので、熱交換器３が伝熱管が１列並んだ１列熱交換器または伝熱管が２列並んだ２列熱交換器のいずれの場合でも、１組の上部支持部１０および下部支持部１１によって熱交換器３を確実に固定することが可能である。したがって、熱交換器３を固定するための部品の共通化が可能である。これによって、共通部品を用いた多品種生産が可能になり、製造コストを大幅に低減することが可能である。
【００２９】
〔変形例〕
（Ａ）
実施形態では、後管板４が底フレーム２にネジ止めされているが、本発明はこれに限定されるものではなく、後管板４をネジ止めしなかったり、または後管板４を省略してもよい。この場合であっても、上部支持部１０および下部支持部１１によって熱交換器３が底フレーム２の上に固定されるので、ネジ止めしなくても熱交換器３の取付けが可能になるので、組立て作業性が向上する。また、後管板４および前管板５の両方を省略してもよい。
【産業上の利用可能性】
【００３０】
本発明は、底フレームの上に熱交換器が配置された空気調和機の室外機に適用することが可能である。
【図面の簡単な説明】
【００３１】
【図１】本発明の実施形態に係わる空気調和機の室外機の平面構成図。
【図２】図１の熱交換器の取付状態を示す斜視図。
【図３】図１の熱交換器の取付状態を示す正面図。
【図４】図１の熱交換器の取付状態を示す側面図。
【符号の説明】
【００３２】
１  室外機
２  底フレーム
３  熱交換器
６  ケーシング
１０  上部支持部
１１  下部支持部
１３、１５  外側支持部分
１４、１６  内側支持部分
【図１】
2008082616.tif 000003
【図２】
2008082616.tif 000004
【図３】
2008082616.tif 000005
【図４】
2008082616.tif 000006
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
底フレーム（２）と、
前記底フレーム（２）の上に配置され、背面側から側面側に延びる略Ｌ字型の熱交換器（３）と、
前記熱交換器（３）の側面側部分（３ｂ）の前面側の端部（３ｄ）に取り付けられている前管板（５）と、
前記熱交換器（３）の少なくとも側部を覆うケーシング（６）と
を備えており、
前記ケーシング（６）は、前記ケーシング（６）の内側に突出するように前記ケーシング（６）の側部に一体成形され、前記熱交換器（３）の側面側端部から突出する伝熱管のＵ字管部分を支持する少なくとも１つの支持部（１０、１１）を有しており、
前記支持部（１０、１１）は、前記前管板（５）の近傍において前記Ｕ字管部分を支持する、
空気調和機の室外機（１）。
【請求項２】
前記底フレーム（２）の背面側の縁部分（２ａ）が立ち上がっており、
前記縁部分（２ａ）は、前記熱交換器（３）の側面側部分が背面側にずれないように前記熱交換器（３）の背面側を支持する、
請求項１に記載の室外機（１）。
【請求項３】
前記支持部（１０、１１）は、前記熱交換器（３）の伝熱管が２列並んだ場合における外側の前記Ｕ字管部分を支持する外側支持部分（１３、１５）と、前記熱交換器（３）の伝熱管が２列並んだ場合における内側の前記Ｕ字管部分を支持する内側支持部分（１４、１６）とを有している、
請求項１に記載の室外機（１）。
【手続補正２】
【補正対象書類名】明細書
【補正対象項目名】０００７
【補正方法】変更
【補正の内容】
【０００７】
第１発明の空気調和機の室外機は、底フレームと、略Ｌ字型の熱交換器と、前管板と、ケーシングとを備えている。略Ｌ字型の熱交換器は、底フレームの上に配置されている。略Ｌ字型の熱交換器は、背面側から側面側に延びる。前管板は、熱交換器の側面側部分の前面側の端部に取り付けられている。ケーシングは、熱交換器の少なくとも側部を覆う。ケーシングは、少なくとも１つの支持部を有している。支持部は、ケーシングの内側に突出するようにケーシングの側部に一体成形されている。支持部は、熱交換器の側面側端部から突出する伝熱管のＵ字管部分を支持する。支持部は、前管板の近傍においてＵ字管部分を支持する。
【手続補正３】
【補正対象書類名】明細書
【補正対象項目名】０００８
【補正方法】変更
【補正の内容】
【０００８】
ここでは、ケーシングが熱交換器の側面側端部から突出する伝熱管のＵ字管部分を支持する少なくとも１つの支持部を有しており、支持部が前管板の近傍においてＵ字管部分を支持するので、熱交換器の側面側部分が正面側にずれることを防止でき、組立て作業性が向上する。